(57)【要約】本発明は、以下からなる室内暖房用エッジパネルブロックに関するものである。その中に支持部（３ａ）を有する断熱層（３）上に敷設された伝熱板（４）を含むエッジパネルブロック（１ａ）と、前記伝熱板（４）上に敷設された蓄熱層（５）と、Ｕ字型溝（２ａ）であって、前記Ｕ字型溝（２ａ）の端部が前記隣接パネルブロックの溝と整合するように、前記蓄熱層（５）の厚さに加えて、前記断熱層（３）厚の半ばに到るような深さをなして形成されたＵ字型溝（２ａ）と、断熱層（３）、伝熱板（４）、及び蓄熱層（５）を含むエッジパネルブロック（１ｂ）と、両端での連結用の前記Ｕ字型溝（２ｂ）の背後のＵ字型溝（２ｂ）及び直線溝（２ｃ）であって、当該エッジパネルブロック（１ａ、１ｂ）が、暖房管（Ｐ）を挿入し、その上に各種仕上げ材（６）を敷設するための１組のエッジパネルブロックを形成することを特徴とするＵ字型溝（２ｂ）及び直線溝（２ｃ）。【選択図】図２
2010511851.tif 000002
【特許請求の範囲】
【請求項１】
部屋の幅に応じて直線溝（２）をなして形成された矩形状の中央直線パネルブロック（１）に沿って敷設された室内暖房用エッジパネルブロック（１ａ、１ｂ）であって、
当該エッジパネルブロック（１ａ、１ｂ）が、前記暖房管（Ｐ）の下半分を封入する方式で断熱層（３）の上に敷設された伝熱板（４）と、前記伝熱板（４）の上に敷設された蓄熱層と、Ｕ字型溝（２ａ）であって、前記Ｕ字型溝（２ａ）の端部が隣接パネルブロックの溝の端部と整合するように、前記蓄熱層（５）の厚さに加えて、前記断熱層（３）厚の半ばに到るような深さをなして形成されたＵ字型溝（２ａ）と、からなるエッジパネルブロック（１ａ）を含み、
上記と同様の方式で、断熱層（３）と、伝熱板（４）と、蓄熱層（５）と、Ｕ字型溝（２ｂ）であって、前記Ｕ字型溝（２ｂ）の端部が隣接パネルブロックの溝の端部と整合するように、前記蓄熱層（５）の厚さに加えて、前記断熱層（３）厚の半ばに到るような深さをなして形成されたＵ字型溝（２ｂ）と、からなるエッジパネルブロック（１ｂ）を含むことを特徴とし、
また、当該エッジパネルブロック（１ｂ）には、前記Ｕ字型溝（２ｂ）の背後に、直線溝（２ｃ）が両端における連結用に設けられており、当該エッジパネルブロック（１ａ）及び当該エッジパネルブロック（１ｂ）が、その中に暖房管（Ｐ）を挿入し、その上には各種仕上げ材（６）を敷設するための１組のエッジパネルブロックを形成することを特徴とする室内暖房用エッジパネルブロック。
【請求項２】
部屋の幅に応じて直線溝（２）をなして形成された矩形状の中央直線パネルブロック（１）に沿って敷設された室内暖房用エッジパネルブロック（１ａ、１ｂ）の敷設方法において、
前記暖房管（Ｐ）の下半分を封入する方式で、エッジパネルブロック（１ａ）に断熱層（３）の上に伝熱板（４）が設けられており、蓄熱層（５）が前記伝熱板（４）上に敷設され、Ｕ字型溝（２ａ）は、前記Ｕ字型溝（２ａ）の端部が隣接パネルブロックの溝の端部と整合するように、前記蓄熱層（５）の厚さに加えて、前記断熱層（３）厚の半ばに到るような深さをなして形成され、エッジパネルブロック（１ｂ）に上記と同様の方式で断熱層（３）、伝熱板（４）、及び蓄熱層（５）が設けられており、Ｕ字型溝（２ｂ）は、前記Ｕ字型溝の端部が隣接パネルブロックの溝の端部と整合するように、前記蓄熱層（５）の厚さに加えて、前記断熱層（３）厚の半ばに到るような深さをなして形成されることを特徴とし、
また、当該エッジパネルブロック（１ｂ）には、前記Ｕ字型溝（２ｂ）の背後に、直線溝（２ｃ）が両端における連結用に設けられており、１組のエッジパネルブロックを形成する当該エッジパネルブロック（１ａ）及び当該エッジパネルブロック（１ｂ）において、長い暖房管（Ｐ）が、前記パネルブロック（１、１ａ、１ｂ）の溝（２、２ａ、２ｂ、２ｃ）にジグザグ状に挿入され、次いで、各種仕上げ材（６）が前記蓄熱層（５）上に敷設されるエッジパネルブロック（１ａ）及びエッジパネルブロック（１ｂ）を特徴とする室内暖房用エッジパネルブロック（１ａ、１ｂ）の敷設方法。
【発明の詳細な説明】
【技術分野】
【０００１】
本発明は、室内暖房パネルブロックに関するものであり、特に、部屋の床に暖房管を敷設するためのエッジ（耳）パネルブロックに関するものである。暖房管を床に設置する際、その中に形成された溝内に前記管を適切な位置に固定するため、パネルブロックが前記暖房管の下部に敷設される。前記管はジグザグ状に屈曲して敷設されるので、前記暖房管の直線部分ならびに前記暖房管の曲げ部分に適したパネルブロックを作る必要が生じるが、本発明は、前記暖房管の曲げ部分又は端部分で使用されるパネルブロック及びその製造工程に関するものである。
【背景技術】
【０００２】
従来、暖房管を部屋の床に敷設するには、ジグザグ状に屈曲した溝を有するパネルが床に敷設され、管は前記ジグザグ状の屈曲溝内に敷設された。しかしながら、床のさまざまな幅や長さのため、ジグザグ状に屈曲して敷設された管の端部分におけるパネル溝内に管を固定する上に問題や不都合があった。
【発明の開示】
【発明が解決しようとする課題】
【０００３】
本発明の目的は、床のさまざまな幅や長さのために部屋の床暖房パネル内に暖房管を敷設する際に暖房管の端部分で生じる、前記従来の技術における問題点や不都合を解決することである。前記ジグザグ状配管を一定間隔で配置して長い暖房管を部屋の床内に敷設するという本発明の当該目的を達成するため、片側端部分におけるパネルブロックはＵ字型溝をなして形成され、他側端部分におけるパネルブロックはＵ字型溝と直線溝との両方をなして形成されるように、矩形パネルブロックが部屋の端部分において設けられる。
【０００４】
本発明のパネルブロックは、暖房される床の端部分で水平に敷設され、床の中央部分に敷設された他のパネルブロックと連結されて、前記エッジパネルブロックの溝が床の中央部分にてパネルブロックの溝と合わせられる。次いで、前記エッジパネルブロックの余り縁部（あれば）が切り取られて所望どおりに前記エッジパネルブロックが整えられる。そのようにすることで、前記エッジパネルブロックの溝とパネルブロックの溝とは床の中央部分にて良好に整列された状態で連結され、溝をジグザグ形状に形成するので、長い暖房管を前記溝内にジグザグ状に簡便に敷設できるようになっている。次いで、羽目板や大理石板などの仕上げ材が、前記管及び前記パネルブロック上に敷設される。
【０００５】
本発明では、前記暖房管から放出される熱が伝熱板を介して上方に伝達され、その熱の一部は蓄熱層内に貯蔵され、その熱の一部は上方に放射される。前記蓄熱層を介した熱放射量は始終変動するが、部屋はかなり安定した温度で暖房される。
【０００６】
また、下方熱損失は前記断熱層によって防止され、それによって前記暖房管から放射される熱量が増加する。
【０００７】
さらに、本発明のパネルブロックが暖房管の床の縁部への敷設を容易にするので、暖房管の敷設作業効率を向上させ、熱エネルギーの利用効率を高め、さらに、室内暖房効率を高める。
【課題を解決するための手段】
【０００８】
以下、本発明の目的に沿うパネルブロックの構造を添付図面を参照して詳細に説明する。
【０００９】
図１に示すように、そのそれぞれに直線溝（２）が設けられている矩形状の中央パネルブロック（１）は、部屋の床中央部分に部屋の幅と一致して配設され、図２、図３及び図４に示すように、金属薄板からなる伝熱板（４）は、前記伝熱板（４）が暖房管（Ｐ）の下部分を囲むように断熱層（３）上に設けられ、次いで、前記伝熱板（４）の上に蓄熱層（５）が設けられる。エッジパネルブロック（１ａ）のそれぞれはＵ字型溝（２ａ）を有し、該溝は前記蓄熱層（５）の全厚に加えて前記蓄熱層（５）の厚さ分だけ前記断熱層（３）に至る深さを持ち、それによって前記断熱層（３）における溝の深さが前記暖房管（Ｐ）直径の半分になっている。各エッジパネルブロック（１ａ）における溝の端部は、前記隣接中央パネルブロック（１）直線溝の端部と連結されるように設計されている。
【００１０】
同様の方法で、床の他側に対するエッジパネルブロック（１ｂ）が設けられ、そのそれぞれは断熱層（３）、伝熱板（４）及び蓄熱層（５）をなして形成され、そこでは、前記溝（２ｂ）の端部が前記隣接中央パネルブロック（１）の溝の端部と整合されるように、Ｕ字型溝（２ｂ）が前記蓄熱層（５）の厚さに加えて前記暖房管（Ｐ）の直径の半分分だけ前記断熱層（３）に到る深さになっている。加えて、前記エッジパネルブロック（１ｂ）には、前記溝（２ｃ）の端部が前記隣接パネルブロックの端部と整合されるように、前記Ｕ字型溝（２ｂ）の背後に直線溝（２ｃ）も設けられる。本発明では、床の片側のエッジパネルブロック（１ａ）及び床の他側のエッジパネルブロック（１ｂ）は一組のエッジパネルブロック（１ａ、１ｂ）からなる。
【００１１】
前記パネルブロック（１、１ａ、１ｂ）の溝（２、２ａ、２ｂ、２ｃ）には、ジグザグ形状で曲げ部分を有する一定の長さの暖房管が挿入され、次いで、水平精度調整作業を行うことなしに、羽目板又は大理石板などの仕上げ材を前記蓄熱層（５）上に敷設することができる。かくして、本発明は室内暖房用エッジパネルブロック（１ａ、１ｂ）に関するものである。
【００１２】
その上、各種床層をしっかりと構設するため、図５に示したように、支持部（３ａ）がそのバランスを補強・維持するため、前記断熱層（３）にて必要とされる箇所に構築される。
【００１３】
以下、前記中央直線パネルブロック（１）と前記エッジパネルブロック（１ａ、１ｂ）とを一組の室内暖房用パネルブロックとして敷設するという本発明の目的達成を目的とする施工工程を説明する。
【００１４】
その床面積に適した大きさに展開された直線溝（２）をなして形成された矩形状の中央直線パネルブロック（１）の敷設では、エッジパネルブロック（１ａ）が設けられ、そこでは、伝熱板（４）が、前記暖房管（Ｐ）の下外面を囲むように支持部（３ａ）の組み込まれている断熱層（３）上に敷設され、蓄熱層（５）が前記伝熱板（４）の上に形成され、Ｕ字型溝が、前記蓄熱層（５）の深さに加えてそれに相当する深さ分だけ前記断熱層（３）に到る深さをなして形成されるので、前記断熱層（３）における溝の深さが前記暖房管（Ｐ）の直径の半分と同等になっており、前記隣接パネルブロックの溝の端部と整合するように前記Ｕ字型溝の端部が配設されるように形成されることを特徴とする。
【００１５】
上記と同様の方法で、エッジパネルブロック（１ｂ）が設けられ、そこでは、断熱層（３）、伝熱板（４）及び蓄熱層（５）が形成され、Ｕ字型溝（２ｂ）は、前記エッジパネルブロックの溝の端部が前記隣接パネルブロックの溝の端部と整合するように、前記蓄熱層（５）の厚さと、前記断熱層（３）厚さの半ばに到る厚さと、を加えた合計厚と同等の深さをなして形成され、当該エッジパネルブロック（１ａ）とエッジパネルブロック（１ｂ）とが一組のエッジパネルブロックを形成し、次いで、ジグザグ形状の曲げ部分を有する一定の長さの暖房管（Ｐ）が、当該パネルブロック（１、１ａ、１ｂ）の溝（２、２ａ、２ｂ、２ｃ）内に挿入され、次いで、仕上げ材（６）が前記蓄熱層（５）上に敷設されることを特徴とする。
【発明の効果】
【００１６】
本発明では、前記エッジパネルブロックは、床の中央部分に敷設された直線パネルブロックに形成された直線溝と連結されるＵ字型溝をなして形成され、床のコーナーにおけるエッジパネルブロックから始めて前記パネルブロック一個ずつを敷設することで長い暖房管を前記溝内に敷設する作業を容易にしている。次いで、前記暖房管の敷設終了後、羽目板又は各種パネル及び大理石板又は各種プレートなどの仕上げ材を前記管の上に簡便かつ効果的に敷設することができる。
【００１７】
前記エッジパネルブロックを用いることで、前記暖房管を容易かつ整然と敷設することができる。
【００１８】
暖房される部屋の床面積に応じて、所望サイズの室内暖房器具を前記エッジパネルブロック及び前記中央直線パネルブロックを用いて構設してもよい。
【００１９】
さらに、前記暖房管から放射された熱は前記伝熱板を介して全ての方向に拡散され、前記暖房管から放射された温度の時間的変化にかかわらず、その室内暖房温度をかなり安定して維持する前記蓄熱層に貯蔵されている熱の一部と、外方に向かって直接放射された放射熱の一部と、は効率の良い室内暖房に寄与し、かくしてさまざまな室内暖房効果を生じる。
【発明を実施するための最良の形態】
【００２０】
本発明では、図１に示すように、直線溝（２）を有する矩形状の中央直線パネルブロック（１）が部屋の床の幅と長さに応じて床の中間部分又は中央部分敷設され、図２及び図３に示すように、図１のＡ部分におけるエッジパネルブロック（１ａ）では、アルミニウム、銅、又は他金属の薄板からなる伝熱板（４）が前記エッジパネルブロック（１ａ）の断熱層（３）上に敷設され、次いで、前記伝熱板（４）の上には、石膏のような無機凝集材で凝集された石粉で形成された蓄熱層（５）が敷設され、次いで、Ｕ字型溝（２ａ）は、前記Ｕ字型溝の端部が前記隣接パネルブロックの溝の端部と整合するように、前記蓄熱層（５）の厚さに加えて、前記断熱層（３）厚の半ばに到るような深さをなして形成される。
【００２１】
次いで、羽目板又は大理石板などの仕上げ材（図示せず）が前記蓄熱層（５）上に敷設される。
【００２２】
加えて、前記断熱層（３）を補強するため、図５に示すように、前記前記仕上げ材上に集中してかかる負荷に持ちこたえられるように、必要であればどこでも支持部（３ａ）が前記伝熱板（４）の下に組み込まれる。
【００２３】
図４に示すように、図１のＢ部分におけるエッジパネルブロック（１ｂ）では、上記の図２及び図３に示した方法と同じ方法で、前記矩形エッジパネルブロック（１ｂ）の複数位置に組み込まれた支持部（３ａ）を有するアルミニウム、銅、又は他金属の薄板からなる伝熱板（４）が前記断熱層（３）上に敷設され、次いで、前記伝熱板（４）の上には、石膏のような無機凝集材で凝集された石粉で形成された蓄熱層（５）が敷設され、次いで、Ｕ字型溝（２ｂ）は、前記Ｕ字型溝の端部が前記隣接パネルブロックの溝の端部と整合するように、前記蓄熱層（５）の厚さに加えて、前記断熱層（３）厚の半ばに到るような深さをなして形成される。次いで、前記Ｕ字型溝（２ｂ）の背後に、直線溝（２ｃ）が両端における連結用に形成される。図１に示すように、１組としての前記エッジパネルブロック（１ａ、１ｂ）は、暖房管（Ｐ）が前記溝内に挿入されて室内暖房設備を構設するため、他のパネルブロック（１）と連結される。この構造によれば、本発明は、図５に示すように、室内暖房用パネルブロックの施工工程を開示することを特徴とする。
【００２４】
［実施形態］
以下、本発明の一態様を添付図面を参照して詳細に説明する。
【００２５】
本発明では、断熱材からなる前記断熱層（３）の厚さは少なくとも２０〜２５ｍｍであり、前記伝熱板（４）の厚さは０.３ｍｍであり、前記蓄熱層（５）の厚さは約１０ｍｍである。従って、前記溝（２ａ、２ｂ、２ｃ）は２０ｍｍほども深い必要があるので、１６〜１８ｍｍの直径を有する暖房管（Ｐ）をその中に挿入できるようになっている。
【００２６】
第１ステップとしては、前記暖房管（Ｐ）が分配器（図示せず）に対して敷設される際に前記暖房管（Ｐ）を敷設するためのスペースを確保するため、本発明におけるＡ部分とＢ部分は前記エッジパネルブロックと同一の厚さで部屋の壁に対して最初に敷設される必要がある。
【００２７】
次いで、第２ステップとして、前記エッジパネルブロック（１ａ、１ｂ）の溝（２ａ、２ｂ）が中央直線パネルブロック（１）の直線溝（２）の両端と連結されることと、前記溝（２ｃ）が直線に連結されることと、に注意しながら、本発明におけるエッジパネルブロック（１ａ、１ｂ）が前記中央直線パネルブロック（１）の平面構造における左右に敷設される。
【００２８】
第３ステップとして、前記長い暖房管（Ｐ）が、前記暖房管（Ｐ）の端部から始めて、前記パネルブロック（１、１ａ、１ｂ）の溝（２、２ａ、２ｂ、２ｃ）に挿入され、次いで各種仕上げ材（６）が前記パネルブロック上に敷設され、それによって、エッジパネルブロックの溝にジグザグ方式で敷設される暖房管（Ｐ）の敷設作業を完了する。
【００２９】
室内暖房用エッジパネルブロック（１ａ、１ｂ）の敷設では、以下のことを特徴として、直線溝（２）を有する矩形状の中央直線パネルブロック（１）が床の幅と長さに応じて部屋の床に敷設される。
【００３０】
エッジパネルブロック（１ａ）では、伝熱板（４）が、前記暖房管（Ｐ）の下半分を封入するような方式で、組み込まれた支持部（３ａ）を有する前記断熱層（３）上に敷設され、次いで、前記伝熱板（４）上に蓄熱層（５）が形成され、Ｕ字型溝（２ａ）は、前記Ｕ字型溝の端部が前記隣接パネルブロックの溝の端部と整合するように、前記蓄熱層（５）の厚さに加えて、前記断熱層（３）厚の半ばに到るような深さをなして形成され、前記エッジパネルブロック（１ｂ）では、上記と同様の方式で、断熱層（３）、伝熱板（４）、及び蓄熱層（５）が形成され、次いで、Ｕ字型溝（２ｂ）は、前記Ｕ字型溝の端部が前記隣接パネルブロックの溝の端部と整合するように、前記蓄熱層（５）の厚さに加えて、前記断熱層（３）厚の半ばに到るような深さをなして形成される。次いで、前記Ｕ字型溝（２ｂ）の背後に、直線溝（２ｃ）が両端における連結用に形成され、当該エッジパネルブロック（１ａ）及び当該エッジパネルブロック（１ｂ）は１組のエッジパネルブロックを形成し、長い暖房管（Ｐ）は、前記パネルブロック（１、１ａ、１ｂ）の当該溝（２、２ａ、２ｂ、２ｃ）にジグザグ状に挿入され、羽目板及び大理石板などの各種仕上げ材（６）は、図５に示すように前記蓄熱層（５）の上に敷設される。
【００３１】
本発明において前記エッジパネルブロック（１ａ、１ｂ）を使用することにより、暖房管（Ｐ）を整然かつ簡便に敷設することが可能である。その上、数列の前記直線横溝（２）が部屋の幅に応じて調整され、前記エッジパネルブロック（１ａ、１ｂ）の残存部分を部屋の床長に応じて切り取って整えることも可能である。前記パネルブロックの当該調整とトリミングによる前記溝（２ａ、２ｂ、２ｃ）を適用することで、室内暖房設備の施工を整然、簡便かつ効率的に行うことができる。
【００３２】
発明におけるエッジパネルブロックでは、部屋、特に床の端部分において暖房設備を敷設することを容易にし、前記暖房管（Ｐ）から放射された熱を前記伝熱板（４）を介して上方方向を含む全ての方向に拡散させ、前記蓄熱層（５）に貯蔵されている一部の熱により、前記暖房管（Ｐ）から放射される温度の時間的変化にかかわらず、室内暖房温度をかなり安定して維持するメリットが実現される。
【産業上の利用可能性】
【００３３】
従来の湿式モルタル床の代わりに、本発明における乾式床暖房設備の構造を用いることで、冬季でも前記設備を敷設することを容易にし、施工時間を短縮し、建物の負荷と床暖房設備を持ちこたえるための建設費を低減し、エネルギー利用効率を最大化する。本発明における床暖房パネルブロック及びその製造法は、各種工場、研究所、ホテル、協会建物、教室、オフィスなど、従来の湿式モルタル床法が用いられた場所に適用可能である。
【図面の簡単な説明】
【００３４】
【図１】図１は室内暖房用に敷設された本発明に係るエッジパネルブロックの上面図である。
【図２】図２は本発明に係るパネルブロックの重要部分の断面図である。
【図３】図３は図１におけるエッジパネルブロックのＡ部分の斜視図である。
【図４】図４は図１におけるエッジパネルブロックのＢ部分の斜視図である。
【図５】図５は室内暖房用に構設された本発明に係るエッジパネルブロックの全体断面図である。
【符号の説明】
【００３５】
１： 中央直線パネルブロック
１ａ、１ｂ： エッジパネルブロック
２、２ａ、２ｂ、２ｃ： 溝
３： 断熱層
４： 伝熱板
５： 蓄熱層
６： 仕上げ材
Ｐ： 暖房管
【図２】
2010511851.tif 000003
【図３】
2010511851.tif 000004
【図４】
2010511851.tif 000005
【図５】
2010511851.tif 000006
【手続補正書】
【提出日】平成20年3月4日(2008.3.4)
【手続補正１】
【補正対象書類名】明細書
【補正対象項目名】０００３
【補正方法】変更
【補正の内容】
【０００３】
本発明の目的は、さまざまに異なる床の幅や長さのため、部屋の床暖房パネル内に暖房管を敷設する際にその端部分で生じる前記従来技術の問題点や不都合を解決することである。本発明では、前記ジグザグ状配管間の間隔を一定に保って、部屋の床内に長い暖房管を敷設するという、当該目的を達成するため、Ｂ部分が部屋の壁３面に沿って敷設され、Ａ部分が残りの壁１面に沿って敷設され、部屋の端部分における矩形パネルブロックは、その片側端部分のパネルブロックがＵ字型溝をなして形成され、その他側端部分のパネルブロックがＵ字型溝と直線溝の両方をなして形成されるように設けられる。
【手続補正２】
【補正対象書類名】明細書
【補正対象項目名】００２６
【補正方法】変更
【補正の内容】
【００２６】
本発明では、前記暖房管（Ｐ）を分配器（図示せず）に向かって整然かつ均一に配設・敷設するため、第１ステップとしてＢ部分が前記エッジパネルブロックと同一の厚さで部屋の壁３面に沿って敷設される。言い換えれば、前記Ｂ部分を敷設する場合、部屋の壁４面に沿った床の長さはそれぞれ異なるので、特定の幅を持つ前記矩形状パネルブロックが部屋の壁３面に沿って敷設され、次いで前記Ａ部分が残りの壁１面の長さに適合するように敷設される。
【国際調査報告】
2010511851.tif 000007
2010511851.tif 000008